(57)【要約】【課題】暗所でも色帯により各電線の線心を識別しやすい低圧引込用電線を提供する。【解決手段】第１乃至第３の３本の被覆電線１１〜１３を撚り合わせて構成した低圧引込用電線１のうち、第２及び第３の被覆電線１２，１３の絶縁被覆１２ｂ，１３ｂの表面に、各被覆電線１２，１３の延在方向（導体１２ａ，１３ａの中心軸方向）に沿って、色帯１２ｃ，１３ｃを形成する。各色帯１２ｃ，１３ｃは、導体１２ａ，１３ａの仕様を識別するための色に着色したポリエチレン（ＰＥ）で構成する。具体的には、色帯１２ｃ，１３ｃを、白色無機顔料を配合したポリエチレン（ＰＥ）で構成し、マンセル表色系における明度６以上の白色で視認される色味を持たせる。【選択図】図１
2015026465.tif 000002
【特許請求の範囲】
【請求項１】
電線の延在方向に沿って識別用の色帯が絶縁被覆の外周面に設けられた被覆電線を複数本撚り合わせて構成された低圧引込用電線において、
前記色帯が、マンセル表色系における明度６以上の白色無機顔料を含有する樹脂材料で形成されている、
ことを特徴とする低圧引込用電線。
【請求項２】
前記色帯は、前記外周面の周方向に１８０度位相をずらして二本設けられており、各色帯は、前記外周面の全周の１５％以上２２．５％以下の幅を有していることを特徴とする請求項１記載の低圧引込用電線。
【発明の詳細な説明】
【技術分野】
【０００１】
本発明は、低圧引込線として用いられる低圧引込用電線に関する。
【背景技術】
【０００２】
従来から、電柱等の低圧架空配線と建物の屋内配線とを接続する低圧引込線には、複数の絶縁被覆電線を撚り合わせた低圧引込用電線が用いられている。そして、各電線の絶縁被覆には、それぞれの線心を識別するために、着色樹脂が用いられている。着色樹脂を用いた絶縁被覆の例としては、下地色（黒色）の絶縁被覆の外周面に電線の延在方向に沿った着色樹脂の色帯を設けたものがある（例えば、特許文献１）。
【０００３】
着色樹脂はカーボンを含有していないのが普通であり、カーボンを含有する下地色（黒色）の絶縁被覆に比べて紫外線遮断効果が低く酸化劣化しやすい。このため、太陽光の照射による亀裂の発生で絶縁特性が劣化するのを避けるために、色帯によって絶縁被覆に識別用の着色を施すことは、従来から好んで行われている。
【先行技術文献】
【特許文献】
【０００４】
【特許文献１】特開２００７−１９４０２３号公報
【発明の概要】
【発明が解決しようとする課題】
【０００５】
ところが、各電線を撚り合わせて低圧引込用電線を構成すると、各電線の色帯が他の電線に覆われて見えづらくなる場合がある。また、紫外線遮断効果の低下を避けるために色帯の層厚を極力薄くすると、色帯の背後の下地色（黒色）が透けて色帯が全体的に暗色系として視認されやすくなる。このため、特に暗所で配線作業を行う場合には、他の電線に覆われて見えづらい色帯によって電線の線心を識別するのが、一層困難になる可能性がある。
【０００６】
本発明は前記事情に鑑みなされたもので、本発明の目的は、暗所でも色帯により各電線の線心を識別しやすい低圧引込用電線を提供することにある。
【課題を解決するための手段】
【０００７】
上記目的を達成するため、請求項１に記載した本発明の低圧引込用電線は、
電線の延在方向に沿って識別用の色帯が絶縁被覆の外周面に設けられた被覆電線を複数本撚り合わせて構成された低圧引込用電線において、
前記色帯が、マンセル表色系における明度６以上の白色無機顔料を含有する樹脂材料で形成されている、
ことを特徴とする低圧引込用電線。
【０００８】
請求項１に記載した本発明の低圧引込用電線によれば、白色無機顔料を含有する樹脂材料で形成した色帯は、マンセル表色系における明度６以上の白色で視認される。このような白色無機顔料としては、例えば、酸化チタン（二酸化チタン）、硫化亜鉛、酸化亜鉛等を用いることができる。また、活性剤を添加して蓄光機能を有する発光体としてもよい。
【０００９】
そして、このような白色無機顔料を含有する樹脂材料で色帯を形成することで、色帯が他の被覆電線に覆われても色帯が隙間から一部でも露出していれば見つけられるようにし、暗所での作業においても線心を識別しやすくすることができる。
【００１０】
また、請求項２に記載した本発明の低圧引込用電線は、請求項１に記載した本発明の低圧引込用電線において、前記色帯は、前記外周面の周方向に１８０度位相をずらして二本設けられており、各色帯は、前記外周面の全周の１５％以上２２．５％以下の幅を有していることを特徴とする。
【００１１】
請求項２に記載した本発明の低圧引込用電線によれば、請求項１に記載した本発明の低圧引込用電線において、他の被覆電線と撚り合わせても色帯が露出する部分を低圧引込用電線に確実に持たせ、線心の識別性をより高めることができる。
【００１２】
また、絶縁被覆の半周につき一本ずつ１８０度位相をずらして設ける色帯の、絶縁被覆の周方向における幅を、絶縁被覆の外周面の全周の１５％以上とすることで、他の被覆電線と撚り合わせた際の色帯の露出を確実にすることができる。
【００１３】
さらに、同じく色帯の幅を、絶縁被覆の外周面の全周の２２．５％以下とすることで、白色無機顔料を含有しカーボンを含まない樹脂材料で色帯を形成しても、絶縁被覆が必要とする紫外線遮断効果を確保することができる。
【００１４】
なお、前記複数の被覆電線のうち少なくとも一本は、内層及び外層による二重の前記絶縁被覆を有しており、カーボンを含有する樹脂材料で形成された前記外層の外周面に前記色帯が設けられていると共に、前記内層が前記色帯と同一色に着色されている構成としてもよい。
【００１５】
このように構成することで、絶縁被覆から色帯が脱落等して色帯による線心の識別が困難になっても、絶縁被覆の端面（切断面）にて内層の色を確認することで、電線の線心を容易に識別することができる。
【発明の効果】
【００１６】
本発明によれば、低圧引込用電線全体での配線作業を簡略化することができ、また、照明側の小型化や薄型化に貢献することができる。
【図面の簡単な説明】
【００１７】
【図１】本発明の第１実施形態に係る低圧引込用電線の断面図である。
【図２】図１の低圧引込用電線の絶縁被覆の全周に対する色帯の幅の関係を絶縁被覆の半部を参照して模式的に示す説明図である。
【図３】本発明の第２実施形態に係る低圧引込用電線の説明図である。
【発明を実施するための形態】
【００１８】
以下、本発明の実施形態について図面を参照して説明する。まず、図１の断面図を参照して、本発明の第１実施形態に係る低圧引込用電線について説明する。
【００１９】
図１において引用符号１は、本発明の第１実施形態に係るＤＶ電線等の低圧引込用電線であり、第１乃至第３の３本の被覆電線１１〜１３を撚り合わせて構成されている。
【００２０】
第１の被覆電線１１は、例えば軟銅線等の導体１１ａを絶縁被覆１１ｂで覆って構成されている。絶縁被覆１１ｂは、耐紫外線特性を向上させるカーボンブラックを配合して黒色に着色したポリエチレン（ＰＥ）で構成されている。
【００２１】
第２及び第３の被覆電線１２，１３は、例えば軟銅線等の導体１２ａ，１３ａを絶縁被覆１２ｂ，１３ｂで覆って構成されている。各絶縁被覆１２ｂ，１３ｂは、第１の被覆電線１１と同様に、耐紫外線特性を向上させるカーボンブラックを配合して黒色に着色したポリエチレン（ＰＥ）で構成されている。
【００２２】
そして、第２及び第３の被覆電線１２，１３の絶縁被覆１２ｂ，１３ｂの表面には、各被覆電線１２，１３の延在方向（導体１２ａ，１３ａの中心軸方向）に沿って、色帯１２ｃ，１３ｃが形成されている。各色帯１２ｃ，１３ｃは、導体１２ａ，１３ａの仕様を識別するための色に着色したポリエチレン（ＰＥ）で構成されている。
【００２３】
本実施形態では、第２及び第３の被覆電線１２，１３は同じ仕様であり、このため、色帯１２ｃ，１３ｃは同じ色に着色されている。具体的には、色帯１２ｃ，１３ｃは、白色無機顔料を配合したポリエチレン（ＰＥ）で構成されている。白色無機顔料としては、例えば、酸化チタン（二酸化チタン）、硫化亜鉛、酸化亜鉛等を用いることができる。また、活性剤を添加して蓄光機能を有する発光体としてもよい。
【００２４】
上述した色帯１２ｃ，１３ｃは、マンセル表色系における明度６以上の白色で視認される色味を有している。なお、色帯１２ｃ，１３ｃは、導体１２ａ，１３ａを絶縁被覆１２ｂ，１３ｂで被覆する押出成形の際に同時に押出成形して形成してもよく、押出成形後の絶縁被覆１２ｂ，１３ｂの外周面に二色成形によって形成してもよい。
【００２５】
また、上述した色帯１２ｃ，１３ｃは、絶縁被覆１２ｂ，１３ｂの外周面の周方向に１８０度位相をずらして二本設けられている。図２は、絶縁被覆１２ｂ，１３ｂの外周面の半部を参照して色帯１２ｃ，１３ｃの幅を模式的に示す説明図である。図２に示すように、各色帯１２ｃ，１３ｃは、絶縁被覆１２ｂ，１３ｂの外周面の全周の１５％以上２２．５％以下の幅を有している。
【００２６】
各色帯１２ｃ，１３ｃの幅を絶縁被覆１２ｂ，１３ｂの外周面の全周の１５％以上としたのは、１５％未満であると、他の被覆電線１１，１３（１１，１２）と撚り合わせた際に色帯１２ｃ（１３ｃ）を全く露出させることができなくなる可能性があるからである。
【００２７】
また、各色帯１２ｃ，１３ｃの幅を絶縁被覆１２ｂ，１３ｂの外周面の全周の２２．５％以下としたのは、２２．５％超であると、カーボンブラックを配合していない色帯１２ｃ，１３ｃが絶縁被覆１２ｂ，１３ｂの外周面上に占める割合が大きくなり過ぎ、紫外線の照射による絶縁被覆１２ｂ，１３ｂの劣化やそれに伴う亀裂の発生等に対する必要な耐性を確保できなくなる可能性があるからである。
【００２８】
即ち、絶縁被覆１２ｂ，１３ｂの外周面の半周毎に一本の色帯１２ｃ，１３ｃを上述した幅で設けることにより、被覆電線１１〜１３と撚り合わせても色帯１２ｃ，１３ｃが露出する部分を低圧引込用電線１に確実に持たせ、第２及び第３の被覆電線１２，１３の線心（仕様）の識別性を高めることができる。
【００２９】
また、白色無機顔料を含有するポリエチレンにより、マンセル表色系における明度６以上の白色で視認される色帯１２ｃ，１３ｃを形成することで、色帯１２ｃ（１３ｃ）が他の被覆電線１１，１３（１１，１２）に覆われても色帯１２ｃ（１３ｃ）が隙間から一部でも露出していれば見つけられるようにし、暗所での作業においても線心を識別しやすくすることができる。
【００３０】
なお、第２及び第３の被覆電線１２，１３が異なる仕様（線心）のものである場合に、それに合わせて、どちらか一方の被覆電線１２，１３の色帯１２ｃ（１３ｃ）を、白色以外の色に着色したポリエチレンにより形成してもよい。
【００３１】
図３は、本発明の第２実施形態に係る低圧引込用電線の断面図である。本実施形態の低圧引込用電線１Ａでは、図１に示す第１実施形態の低圧引込用電線１の第３の被覆電線１３に代えて、図３に示すように、第４の被覆電線１４を第１及び第２の被覆電線１１，１２と撚り合わせて構成されている。
【００３２】
そして、第４の被覆電線１４は、導体１４ａを覆う絶縁被覆１４ｂが、内層１４ｂ１及び外層１４ｂ２の二層で構成されている。このうち、第４の被覆電線１４の外周面に露出する外層１４ｂ２は、第２の被覆電線１２の絶縁被覆１２ｂと同じく、カーボンブラックを配合して黒色に着色したポリエチレン（ＰＥ）で構成されている。
【００３３】
外層１４ｂ２の外周面には、第２及び第３の被覆電線１２，１３と同様に、第４の被覆電線１４の延在方向に沿って二本の色帯１４ｃ，１４ｃが形成されている。各色帯１４ｃは、第２及び第３の被覆電線１２，１３の色帯１２ｃ，１３ｃと同様の理由から、絶縁被覆１４ｂ（外層１４ｂ２）の外周面の全周の１５％以上２２．５％以下の幅を有している。
【００３４】
一方、外層１４ｂ２の内側に位置する内層１４ｂ１は、二本の色帯１４ｃ，１４ｃと共に、白色無機顔料を配合したポリエチレン（ＰＥ）で構成されている。白色無機顔料としては、例えば、酸化チタン（二酸化チタン）、硫化亜鉛、酸化亜鉛等を用いることができる。また、活性剤を添加して蓄光機能を有する発光体としてもよい。
【００３５】
上述した色帯１４ｃも、第２及び第３の被覆電線１２，１３の色帯１２ｃ，１３ｃと同様に、マンセル表色系における明度６以上の白色で視認される色味を有している。なお、色帯１４ｃは、外層１４ｂ２の押出成形の際に同時に押出成形して形成してもよく、押出成形後の外層１４ｂ２の外周面に二色成形によって形成してもよい。
【００３６】
なお、本実施形態の低圧引込用電線１Ａでも、第２及び第４の被覆電線１２，１４が異なる仕様（線心）のものである場合に、それに合わせて、どちらか一方の被覆電線１２，１４の色帯１２ｃ（１４ｃ）を、白色以外の色に着色したポリエチレンにより形成してもよい。
【００３７】
このように構成した第２実施形態の低圧引込用電線１Ａでも、第１実施形態の低圧引込用電線１と同様の効果を得ることができる。また、第２実施形態の低圧引込用電線１Ａでは、第４の被覆電線１４の絶縁被覆１４ｂを内層１４ｂ１と外層１４ｂ２の二層とし、内層１４ｂ１を色帯１４ｃと同じ、白色無機顔料を配合したポリエチレン（ＰＥ）で構成した。このため、外層１４ｂ２から色帯１４ｃが脱落等して色帯１４ｃによる仕様（線心）の識別が困難になっても、絶縁被覆１４ｂの端面（切断面）にて内層１４ｂ１の色を確認することで、第４の被覆電線１４の仕様（線心）を容易に識別することができる。
【産業上の利用可能性】
【００３８】
本発明は、電柱等の低圧架空配線と建物の屋内配線とを接続する低圧引込線として使用する低圧引込用電線に用いて、極めて有用である。
【符号の説明】
【００３９】
１，１Ａ  低圧引込用電線
１１  第１の被覆電線
１１ａ，１２ａ，１３ａ，１４ａ  導体
１１ｂ，１２ｂ，１３ｂ，１４ｂ  絶縁被覆
１２  第２の被覆電線
１２ｃ，１３ｃ，１４ｃ  色帯
１３  第３の被覆電線
１４  第４の被覆電線
１４ｂ１  内層
１４ｂ２  外層
【図１】
2015026465.tif 000003
【図２】
2015026465.tif 000004
【図３】
2015026465.tif 000005